(57)【特許請求の範囲】
【請求項１】
遊戯者が乗るための領域を上面に有する遊戯用部材と、
前記遊戯用部材を吊り下げ状態で支持する吊下部材と、
前記吊下部材を揺動自在に支持する支持部材と、
少なくとも一部分が可撓性を有するシート状の部材から構成され、前記遊戯用部材，吊下部材及び支持部材から成る構造体を外方から覆って閉塞空間内に位置せしめるカバー体と、
前記カバー体により形成された閉塞空間内に気体を供給し、該閉塞空間内の気体圧力を
高めて、前記カバー体のシート状部分を外方に膨らませる気体供給機構とを備え、
前記気体供給機構が、前記遊戯用部材の下面に配置され、当該遊戯用部材とともに、前記カバー体に覆われ、
前記吊下部材を揺動させる揺動機構が、前記カバー体によって覆われて、該カバー体により形成された閉塞空間内に配設されてなることを特徴とする遊戯装置。
【発明の詳細な説明】
【技術分野】
【０００１】
本発明は、遊園地や公園の他、デパートやスーパーマーケットなどのショッピング施設の遊戯コーナ等に設置して好適な遊戯装置に関する。
【背景技術】
【０００２】
従来、子供などの遊戯者が気軽に遊ぶことができる遊戯装置として、例えば、特開平７−３２８２３０号公報などに開示されたものが知られている。この遊戯装置は、いわゆるブランコと呼ばれるものであり、所定間隔を隔てて設けられる２つの支柱と、各支柱の上部間に水平に掛け渡された支持ビームと、矩形且つ平板状に形成されて長手方向が支持ビームの長手方向と平行に配置され、遊戯者が乗るための領域を上面に有する遊戯用部材と、下端部が遊戯用部材の長手方向両端部にそれぞれ接続して、当該遊戯用部材を吊り下げ状態で支持し、上端部が支持ビームによってその長手方向と平行な水平軸回りに揺動自在に支持される２つの吊下部材とを備えている。
【０００３】
前記吊下部材は、通常、鉄製の鎖状部材や、木製の棒状部材、ロープ状部材などから構成され、その上端部及び下端部が、適宜取付機構によって支持ビームや遊戯用部材に取り付けられる。また、遊戯用部材は、一般的に、木製である。
【０００４】
この遊戯装置によれば、遊戯者は、各吊下部材をそれぞれ掴んで立った状態や座った状態で遊戯用部材上に乗り、遊戯用部材を前後動させたり、背中を第三者に押してもらうことで、吊下部材及び遊戯用部材が支持ビームによる吊下部材上端部の支持位置を中心に揺動し、そのときの感覚を楽しむことができる。
【０００５】
【特許文献１】
特開平７−３２８２３０号公報
【発明の開示】
【発明が解決しようとする課題】
【０００６】
ところが、上記従来の遊戯装置では、遊戯用部材、吊下部材、吊下部材と遊戯用部材との接続部（吊下部材を遊戯用部材に取り付けるための取付機構）、及び支持ビームと吊下部材との接続部（吊下部材を支持ビームに取り付けるための取付機構）が剥き出しになっているため、遊戯者がこれらの各接続部に触って怪我をしたり、吊下部材を掴んだ際に、例えば、鎖状部材を構成する各環状部材間に指を挟んだり、木製の棒状部材のとげが刺さるなどして怪我をしたり、木製の遊戯用部材に座った際にも、とげが刺ささるなどして怪我をするという危険性があった。
【０００７】
また、遊戯装置が屋外に設けられていると、雨にさらされて、取付機構を構成する部材や吊下部材などが錆びてくるため、この錆びによって遊戯者の手や衣服が汚れたり、吊下部材及び遊戯用部材の揺動が不安定になって、遊戯者が遊戯用部材上から落下する恐れもある。
【０００８】
本発明は、以上の実情に鑑みなされたものであって、安全性をより高めることができる遊戯装置の提供をその目的とする。
【課題を解決するための手段】
【０００９】
【課題を解決するための手段】
遊戯者が乗るための領域を上面に有する遊戯用部材と、
前記遊戯用部材を吊り下げ状態で支持する吊下部材と、
前記吊下部材を揺動自在に支持する支持部材と、
少なくとも一部分が可撓性を有するシート状の部材から構成され、前記遊戯用部材，吊下部材及び支持部材から成る構造体を外方から覆って閉塞空間内に位置せしめるカバー体と、
前記カバー体により形成された閉塞空間内に気体を供給し、該閉塞空間内の気体圧力を
高めて、前記カバー体のシート状部分を外方に膨らませる気体供給機構とを備え、
前記気体供給機構が、前記遊戯用部材の下面に配置され、当該遊戯用部材とともに、前記カバー体に覆われ、
前記吊下部材を揺動させる揺動機構が、前記カバー体によって覆われて、該カバー体により形成された閉塞空間内に配設されてなることを特徴とする遊戯装置に係る。
【００１０】
この発明によれば、子供などの遊戯者は、吊下部材（当該吊下部材がカバー体で覆われている場合には、カバー体を介して）を掴んで立った状態や座った状態で遊戯用部材（当該遊戯用部材がカバー体で覆われている場合には、カバー体を介して）上に乗り、遊戯用部材を前後動させたり、背中を第三者に押してもらうことで、吊下部材及び遊戯用部材が支持部材による吊下部材の支持位置を中心に揺動し、そのときの感覚を楽しむことができる。
【００１１】
また、気体供給機構から閉塞空間内に供給される気体によって当該閉塞空間内の気体圧力が高められ、カバー体のシート状部分が外方に膨らんでおり、このカバー体によって、遊戯者は、遊戯用部材と吊下部材との接続部や吊下部材と支持部材との接続部などに直接触ったり、吊下部材を直に掴んだり、遊戯用部材上に直に座ることができない。これにより、遊戯者が、前記接続部に触って怪我をしたり、吊下部材を掴んだ際や遊戯用部材上に座った際に怪我をするのを効果的に防止することができる。
【００１２】
また、当該遊戯装置が屋外に設けられたとしても、カバー体により、前記接続部や吊下部材が雨で濡れて、当該接続部に設けられた部材や吊下部材が錆びるのを効果的に防止することができ、錆びによって、遊戯者の手や衣服が汚れたり、吊下部材及び遊戯用部材の揺動が不安定になって、遊戯者が遊戯用部材上から落下するという不都合を無くすことができる。
【００１３】
尚、前記遊戯装置は、前記吊下部材を揺動させる揺動機構を更に備えて構成されていても良く、このようにすれば、揺動機構によって吊下部材（遊戯用部材）が揺動せしめられるので、遊戯者は、自分で遊戯用部材を前後動させたり、第三者に背中を押してもらわなくても良く、気軽に楽しむことができる。また、遊戯用部材上に遊戯者が乗っていなくても、吊下部材及び遊戯用部材が揺動するので、当該遊戯装置の周りにいる子供達の興味を引くことができる。
【００１４】
この場合において、前記揺動機構は、前記カバー体によって覆われて、当該カバー体により形成された閉塞空間内に配設されていることが好ましく、このようにすれば、遊戯者は当該揺動機構に直接触ることができず、怪我をする危険性を無くすことができる。
【００１５】
また、前記カバー体は、気体供給機構によって高められた気体圧力によって外方に膨らむことができれば、伸縮性を備えた部材や、通気性を備えた部材などから構成しても良い。
【発明の効果】
【００１６】
このように、本発明に係る遊戯装置によれば、遊戯者は、遊戯用部材上に乗ってこれが揺動するときの感覚を楽しむことができるとともに、怪我をするのをカバー体により防止して安全性を高めることができる。
【図面の簡単な説明】
【００１７】
【図１】本発明の一実施形態に係る遊戯装置の概略構成を示した斜視図である。
【図２】図１に示した遊戯装置の正断面図である。
【図３】図２における矢示Ａ−Ａ方向の断面図である。
【図４】本発明の他の実施形態に係る遊戯装置の概略構成を示した正断面図である。
【図５】本発明の他の実施形態に係る遊戯装置の概略構成を示した正断面図である。
【図６】本発明の他の実施形態に係る遊戯装置の概略構成を示した正断面図である。
【符号の説明】
【００１８】
１    遊戯装置
１０  支持機構
１１  支柱
１２  支持ビーム
１３  軸受
１４  回転軸
１５  接続部材
２０  揺動機構
２１  ブラケット
２２  駆動モータ
２３  第１歯車
２４  第２歯車
３０  吊下部材
３１  遊戯用部材
３２  取付部材
３３  カバーシート
３４  第１部材
３５  第２部材
３９  ブロワ
Ｙ    遊戯者
Ｋ１  第１閉塞空間
Ｋ２  第２閉塞空間
【発明を実施するための最良の形態】
【００１９】
以下、本発明の具体的な実施形態について、添付図面に基づき説明する。図１は、本発明の一実施形態に係る遊戯装置の概略構成を示した斜視図であり、図２は、図１に示した遊戯装置の正断面図であり、図３は、図２における矢示Ａ−Ａ方向の断面図である。
【００２０】
図１乃至図３に示すように、本例の遊戯装置１は、矩形且つ平板状に形成された遊戯用部材３１と、遊戯用部材３１の長手方向両端部に接続して当該遊戯用部材３１を吊り下げ状態で支持する２つの吊下部材３０と、各吊下部材３０を揺動自在に支持する支持機構１０と、吊下部材３０を支持機構１０に対して揺動させる揺動機構２０と、可撓性を有する部材からなり、支持機構１０の一部，吊下部材３０及び遊戯用部材３１を外方から覆って閉塞空間（後述する第１閉塞空間Ｋ１及び第２閉塞空間Ｋ２）内に位置せしめるカバーシート３３と、カバーシート３３により形成された閉塞空間内に空気を供給するブロワ３９などを備えて構成される。
【００２１】
前記支持機構１０は、所定間隔を隔てて設けられる２つの支柱１１と、各支柱１１の上部間に水平に掛け渡された支持ビーム１２と、支持ビーム１２下側にその長手方向に所定間隔を隔てて固設された２組（合計４つ）の軸受１３と、支持ビーム１２の長手方向と平行な水平軸回りに回転自在に軸受１３によって支持された回転軸１４と、回転軸１４の両端部側にそれぞれ固設され、当該回転軸１４とともに回転する２つの接続部材１５などを備える。
【００２２】
前記各吊下部材３０は、棒状の部材から構成されて、その上端部が各接続部材１５の下端部に固設され、下端部が取付部材３２を介して遊戯用部材３１の長手方向端部にそれぞれ取り付けられている。また、前記遊戯用部材３１は、その長手方向が支持ビーム１２の長手方向と平行に配置され、上面に遊戯者Ｙが立った状態や座った状態で乗ることができるように構成されている。
【００２３】
前記揺動機構２０は、ブラケット２１を介して支持ビーム１２下側に取り付けられた駆動モータ２２と、駆動モータ２２の出力軸に固設された第１歯車２３と、前記回転軸１４の中央部に固設され、第１歯車２３と噛合する第２歯車２４などを備えており、駆動モータ２２の回転動力を第１歯車２３及び第２歯車２４を介して回転軸１４に伝達することで、当該回転軸１４を軸中心に回転させて接続部材１５（吊下部材３０及び遊戯用部材３１）を矢示方向に揺動させるように構成される。また、駆動モータ２２は、適宜制御装置により、その作動が制御されている。
【００２４】
前記カバーシート３３は、支持ビーム１２に支持され、当該支持ビーム１２の一部，軸受１３，回転軸１４，接続部材１５，ブラケット２１，駆動モータ２２，第１歯車２３及び第２歯車２４からなる構造体をそれぞれ覆って第１閉塞空間Ｋ１を形成し、当該第１閉塞空間Ｋ１内に空気が供給されることで箱状に膨らむ第１部材３４と、遊戯用部材３１，各吊下部材３０及び各取付部材３２をそれぞれ覆って第２閉塞空間Ｋ２を形成し、当該第２閉塞空間Ｋ２内に空気が供給されることでＵ字状に膨らむ第２部材３５とを備える。
【００２５】
前記第２部材３５は、その上側両端部が、支持部材３６を介して各吊下部材３０上部にその外周面から一定距離を隔てて支持されるとともに、第１部材３４下面に吊下部材３０の揺動平面と平行に形成された２つの切欠き部３４ａから前記第１閉塞空間Ｋ１内に貫入されており、当該第１閉塞空間Ｋ１と第２閉塞空間Ｋ２とが連通するようになっている。また、この切欠き部３４ａによって吊下部材３０（第２部材３５）の揺動が許容されている。
【００２６】
また、第２部材３５の各吊下部材３０を覆う部分は、上端部側及び下端部側から中央部付近にかけて徐々に小径となるように構成され、遊戯者Ｙが当該第２部材３５を介して各吊下部材３０を掴み易いようになっている。
【００２７】
前記ブロワ３９は、第１部材３４に適宜形成された開口部（図示せず）から第１閉塞空間Ｋ１内に接続する供給部材３９ａを有しており、当該供給部材３９ａを介して第１閉塞空間Ｋ１及び第２閉塞空間Ｋ２内に空気を供給し、当該各閉塞空間Ｋ１，Ｋ２内の空気圧力を所定圧力まで高めて、カバーシート３３（第１部材３４及び第２部材３５）を外方に膨らませるように構成される。
【００２８】
以上のように構成された本例の遊戯装置１によれば、揺動機構２０によって各吊下部材３０及び遊戯用部材３１が揺動せしめられ、また、カバーシート３３（第１部材３４及び第２部材３５）によって形成される閉塞空間Ｋ１，Ｋ２内には、ブロワ３９から空気が供給されて、当該閉塞空間Ｋ１，Ｋ２内の空気圧力が所定圧力まで高められ、当該カバーシート３３が外方に膨らむ。
【００２９】
そして、このようにして遊戯用部材３１が揺動する中で、子供などの遊戯者Ｙは、カバーシート３３の第２部材３５を介して各吊下部材３０を掴み、立った状態や座った状態でカバーシート３３の第２部材３５を介して遊戯用部材３１上に乗り、当該遊戯用部材３１が揺動するときの感覚を楽しむことができる、即ち、いわゆるブランコ遊びを楽しむことができる。
【００３０】
また、外方に膨らんだカバーシート３３によって、遊戯者Ｙは、支持ビーム１２の一部，軸受１３，回転軸１４，接続部材１５，ブラケット２１，駆動モータ２２，第１歯車２３及び第２歯車２４（各吊下部材３０と支持機構１０との接続部及び揺動機構２０）や、遊戯用部材３１，各吊下部材３０及び各取付部材３２（各吊下部材３０と遊戯用部材３１との接続部）に直接触ることができず、また、各吊下部材３０を掴む際には、このカバーシート３３（第２部材３５）を介して当該吊下部材３０を掴むようになっているため、遊戯者Ｙが、前記各接続部や揺動機構２０に触って怪我をしたり、吊下部材３０を掴んだ際に怪我をするのを効果的に防止することができる。更に、カバーシート３３（第２部材３５）を介して遊戯用部材３１上に座るため、当該遊戯用部材３１上に座った際に怪我をする心配も無く、また、座り心地も良い。
【００３１】
また、この遊戯装置１が屋外に設けられたとしても、カバーシート３３により、前記各接続部や揺動機構２０、吊下部材３０が雨で濡れて、当該接続部に設けられた部材や揺動機構２０、吊下部材３０が錆びるのを効果的に防止することができ、錆びによって、遊戯者Ｙの手や衣服が汚れたり、吊下部材３０及び遊戯用部材３１の揺動が不安定になって、遊戯者Ｙが遊戯用部材３１上から落下するという不都合を無くすことができる。
【００３２】
また、更に、遊戯用部材３１が揺動機構２０によって随時揺動せしめられており、遊戯用部材３１上に遊戯者Ｙが乗っていなくても、当該遊戯用部材３１が揺動しているので、この遊戯用部材３１の動きを見た、当該遊戯装置１の周りにいる子供達の興味を引くことができる。また、遊戯用部材３１が自動的に揺動するので、気軽に楽しむことができる。
【００３３】
このように、本発明に係る遊戯装置１によれば、遊戯者Ｙは、遊戯用部材３１上に乗ってこれが揺動するときの感覚を楽しむことができるとともに、怪我をするのをカバーシート３３により防止して安全性を高めることができる。
【００３４】
以上、本発明の一実施形態について説明したが、本発明の採り得る具体的な態様は、何らこれに限定されるものではない。
【００３５】
例えば、図４に示すように、遊戯用部材３１上に座ったり、立った遊戯者Ｙと並ぶように、カバーシート３３（第２部材３５）に動物のぬいぐるみ４０などを取り付けるようにすれば、遊戯者Ｙに対して、ぬいぐるみ４０によって表された動物と一緒にブランコ遊びをしている気持ちにさせることができるので、当該遊戯装置１における遊びをより楽しいものにすることができる。また、当該遊戯装置１の周りにいる子供達に対しては、動物がブランコ遊びをしているように思わせたり、動物と遊戯者Ｙが一緒になってブランコ遊びをしているように思わせることができるので、当該子供達の興味をより強く引くことができる。尚、ぬいぐるみ４０の設置位置は、図示例に限られるものではない。
【００３６】
また、上例では、ブロワ３９の供給部材３９ａをカバーシート３３の第１部材３４に接続したが、これに限られるものではなく、第１部材３４及び第２部材３５の両方に接続して、前記両閉塞空間Ｋ１，Ｋ２内に空気を直接供給するように構成することもできる。このようにすれば、各閉塞空間Ｋ１，Ｋ２内に供給された空気が第１部材３４の切欠き部３４ａから漏れても、当該閉塞空間Ｋ１，Ｋ２内の空気圧力を高め易くすることができる。また、ブロワ３９の供給部材３９ａを、第２部材３５のみに接続するようにしても良い。
【００３７】
また、吊下部材３０（第２部材３５）の揺動を許容可能な範囲で、第１部材３４の切欠き部３４ａを閉塞する部材を設けて、この切欠き部３４ａから漏れる空気流量を少なくするように構成しても良い。また、この他、カバーシート３３の内部空間が完全な密閉空間となるように構成しても良い。
【００３８】
また、上例では、遊戯用部材３１をその長手方向両端部に接続した各吊下部材３０により支持するように構成したが、これに限られるものではなく、図５に示すように、矩形且つ平板状に形成されたり、円板状に形成された遊戯用部材４１の中央部を一つの吊下部材４２により支持するように構成することもできる。また、ブロワ３９についても、カバーシート３３の外部に設けるのではなく、カバーシートにより形成された閉塞空間内に（例えば、同図５に示すように、第２部材４４内に）ブロワ４５を設けるように構成することもできる。
【００３９】
この場合、吊下部材４２は、その上端部が前記接続部材１５の下端部に固設され、下端部が取付部材４３を介して遊戯用部材４１の中央部に取り付けられる。また、前記第２部材４４は、遊戯用部材４１，吊下部材４２各取付部材４３及びブロワ４５を覆って第２閉塞空間Ｋ２を形成し、当該第２閉塞空間Ｋ２内に空気が供給されることでＴ字状に膨らむように構成されており、カバーシート３３の第２部材３５と同様に、その上端部が支持部材４６を介して吊下部材４２上部にその外周面から一定距離を隔てて支持され、また、吊下部材４２を覆う部分は、上端部側及び下端部側から中央部付近にかけて徐々に小径となるように構成され、遊戯者Ｙが当該第２部材４４を介して吊下部材４２を掴み易くなっている。
【００４０】
尚、前記第１部材３４には、１つの切欠き部３４ａが形成されて、当該切欠き部３４ａから第２部材４４の上端部が第１閉塞空間Ｋ１内に貫入され、これにより、第１閉塞空間Ｋ１と第２閉塞空間Ｋ２とが互いに連通する。
【００４１】
前記ブロワ４５は、遊戯用部材４１の下面に配設され、第２部材４４に形成された開口部４４ａから、吸込部材４５ａを介して外部の空気を吸い込み、第１部材３４及び第２部材４４によりそれぞれ形成される閉塞空間Ｋ１，Ｋ２内に供給し、当該各閉塞空間Ｋ１，Ｋ２内の空気圧力を高めて当該カバーシート（第１部材３４及び第２部材４４）を外方に膨らませる。
【００４２】
このように構成しても、遊戯者Ｙは、第２部材４４を介し吊下部材４２を両手で掴み、立った状態や座った状態で第２部材４２を介して遊戯用部材４１上に乗り、上記遊戯装置１と同様、安全にブランコ遊びを楽しむことができる。また、ブロワ４５を第２閉塞空間Ｋ２内に設けているので、遊戯装置の装置構成をコンパクトにすることができる。
【００４３】
また、上記遊戯装置１は、前記揺動機構２０を省略するとともに、前記吊下部材３０に代えてこれとは異なる吊下部材を設け、図６に示すような遊戯装置２として構成することもでき、この遊戯装置２は、同図６に示すように、前記支柱１１と、前記支持ビーム１２と、前記遊戯用部材３１と、この遊戯用部材３１の長手方向の端部をそれぞれ支持する２つの吊下部材５０と、可撓性を有し、膨らんだときにＵ字状となる部材からなり、遊戯用部材３１、吊下部材５０、及び後述のフック状の部材５２，５３を覆うカバーシート５１と、カバーシート５１によって形成される閉塞空間Ｋ３内に空気を供給して当該閉塞空間Ｋ３内の空気圧力を高め、カバーシート５１を膨らませる前記ブロワ３９などを備えて構成される。
【００４４】
前記各吊下部材５０は、鎖状の部材から構成されて、その上端部が支持ビーム１２の下側に固設されたフック状の部材５２に取り付けられ、下端部も同様に、遊戯用部材３１上面に固設されたフック状の部材５３に取り付けられている。
【００４５】
また、カバーシート５１は、その上側両端部がフック状の部材５２によって支持され、前記第２部材３５，４４と同様に、各吊下部材５０を覆う部分が、遊戯者Ｙが当該カバーシート５１を介して各吊下部材５０を掴み易くなるように、上端部側及び下端部側から中央部付近にかけて徐々に小径となるように形成されている。
【００４６】
この遊戯装置２では、遊戯者Ｙは、カバーシート５１を介して吊下部材５０を掴み、立った状態や座った状態でカバーシート５１を介して遊戯用部材３１上に乗り、遊戯用部材３１を前後動させたり、背中を第三者に押してもらうことで、吊下部材５０及び遊戯用部材３１が、フック状部材５２による吊下部材５０上端部の支持位置を中心に揺動し、そのときの感覚を楽しむことができる。尚、カバーシート５１によって遊戯者Ｙの安全性が高められているのは、上述の通りである。
【００４７】
また、前記吊下部材３０，４２，５０は、上述のように、棒状の部材や鎖状の部材から構成する他、ロープ状の部材などから構成しても良い。
【００４８】
また、上例では、カバーシート３３により、支持ビーム１２の一部，軸受１３，回転軸１４，接続部材１５，ブラケット２１，駆動モータ２２，第１歯車２３及び第２歯車２４からなる構造体、並びに遊戯用部材３１，各吊下部材３０及び各取付部材３２を覆うように構成したり、カバーシートの第２部材４４により、遊戯用部材４１，吊下部材４２及び各取付部材４３を覆うように構成したり、カバーシート５１により、遊戯用部材３１、吊下部材５０、及びフック状部材５２，５３を覆うように構成したが、これに限られるものではなく、例えば、遊戯用部材３１，４１のみを覆うようにしたり、吊下部材３０，４２，５０のみを覆うようにしたり、遊戯用部材３１，４１、吊下部材３０，４２及び取付部材３２，４３のみを覆うようにしても良い。但し、このようにすると、遊戯者Ｙに対する安全性が低くなる点に注意する必要がある。
【００４９】
また、前記構造体や遊戯用部材３１，４１、吊下部材３０，４２，５０などを覆って閉塞空間Ｋ１，Ｋ２，Ｋ３を形成するカバー体をカバーシート３３（第１部材３４及び第２部材３５，４４）や、カバーシート５１として構成したが、当該カバー体の一部分のみをカバーシート３３，５１（シート状部材）から構成するようにしても良い。また、カバーシート３３は、ブロワ３９によって高められた空気圧力によって外方に膨らむことができれば、伸縮性を備えた部材や、通気性を備えた部材から構成しても良い。
【産業上の利用可能性】
【００５０】
以上のように、本発明は、遊園地や公園の他、デパートやスーパーマーケットなどのショッピング施設の遊戯コーナ等に設置する遊戯装置に好適に適用することができる。
【図１】
0004519135.tif 000002
【図２】
0004519135.tif 000003
【図３】
0004519135.tif 000004
【図４】
0004519135.tif 000005
【図５】
0004519135.tif 000006
【図６】
0004519135.tif 000007